(57)【要約】【課題】遊技球の始動入賞口への入賞を安定させ、遊技性の向上を図るだけでなく、遊技領域を覆うガラス板への衝突を防止して、破損や騒音を抑止すること。【解決手段】パチンコ遊技機１００の遊技領域１０３内の所定位置に設けられ、進入した遊技球を始動入賞口１０５付近まで誘導する誘導部材１０９は、通路２１０と、減勢部２０５とを備える。通路２１０は、始動入賞口１０５付近まで誘導される遊技球が通過する。減勢部２０５は、通路２１０内に形成され、通路２１０内を通過する遊技球の勢いを減勢させる。【選択図】図４
2010119526.tif 000002
【特許請求の範囲】
【請求項１】
遊技機の遊技領域内の所定位置に設けられ、進入した遊技球を始動入賞口付近まで誘導する誘導部材において、
前記始動入賞口付近まで誘導される遊技球が通過する通路と、
前記通路内に形成され、前記通路を通過する遊技球を減勢させる減勢部と、
を備えることを特徴とする誘導部材。
【請求項２】
前記通路は、前記遊技球が滞りなく通過可能な開口径を有し、
前記減勢部は、前記通路の終端付近に形成されることを特徴とする請求項１に記載の誘導部材。
【請求項３】
前記減勢部は、前記遊技球を誘導する方向に沿って形成されることを特徴とする請求項１または２に記載の誘導部材。
【請求項４】
前記通路は、始端から終端まで前記遊技球を落下させて前記始動入賞口付近まで誘導することを特徴とする請求項１〜３のいずれか一つに記載の誘導部材。
【請求項５】
前記所定位置は、前記遊技球の落下領域に含まれる位置であることを特徴とする請求項１〜４のいずれか一つに記載の誘導部材。
【請求項６】
遊技球が移動する遊技領域を有する遊技盤と、
前記遊技領域内に設けられる始動入賞口と、
進入した遊技球を前記始動入賞口付近まで誘導する誘導部材と、
を備え、
前記誘導部材は、
前記遊技領域内の所定位置に設けられ、
前記始動入賞口付近まで誘導される遊技球が通過する通路と、
前記通路内に形成され、前記通路を通過する遊技球を減勢させる減勢部と、
を備えることを特徴とする遊技機。
【請求項７】
前記通路は、始端から終端まで前記遊技球を落下させて前記始動入賞口付近まで誘導することを特徴とする請求項６に記載の遊技機。
【請求項８】
前記誘導部材は、前記遊技球の落下領域に含まれる位置に設けられることを特徴とする請求項６または７に記載の遊技機。
【発明の詳細な説明】
【技術分野】
【０００１】
本発明は、遊技機（たとえば、パチンコ遊技機）の遊技領域に設けられ、遊技領域内を移動する遊技球を始動入賞口付近まで誘導する誘導部材、および当該誘導部材を備える遊技機に関する。
【背景技術】
【０００２】
従来、たとえば、パチンコ遊技機は、生成された乱数に基づき、大当たり入賞が所定の確率で発生する（たとえば、下記特許文献１参照。）。大当たり入賞においては、大入賞口を一定の期間開放し、大入賞口に入賞した遊技球に応じて、賞球数の払い出しをおこなう。そして、遊技者は獲得した賞球数に応じて、所望の景品を獲得することができる。このようなパチンコ遊技機において、大当たり入賞の抽選（すなわち、乱数の生成）は、遊技球が遊技領域に設けられた始動入賞口に入賞させることによっておこなわれる。したがって、いかに多くの遊技球を始動入賞口に入賞させることができるかが遊技の鍵となる。
【０００３】
【特許文献１】特開２００６−１６７０７５号公報
【発明の開示】
【発明が解決しようとする課題】
【０００４】
しかしながら、上記の従来技術にあっては、遊技球を誘導する誘導部材の開口径は、誘導部材内での遊技球のひっかかり（詰まり）を防止するために或る程度大きく形成する必要がある。そのため、遊技球は、誘導部材内でまったくひっかかることなく（すなわち、勢いよく）、誘導部材外へと排出され、始動入賞口などへの入賞が安定せず、遊技性が低下するといった問題があった。さらに、誘導部材から勢いよく排出された遊技球は、遊技領域を覆うガラス板に衝突し、ガラス板の破損や騒音を招くという問題があった。
【０００５】
本発明は、上記の従来技術による問題点を解消するため、遊技球を減勢しつつ誘導することによって、始動入賞口への入賞を安定させて遊技性の向上を図るだけでなく、遊技領域を覆うガラス板への衝突を防止して破損や騒音を抑制することができる誘導部材、および当該誘導部材を備える遊技機を提供することを目的とする。
【課題を解決するための手段】
【０００６】
上述した課題を解決し、目的を達成するために、請求項１にかかる誘導部材は、遊技機の遊技領域内の所定位置に設けられ、進入した遊技球を始動入賞口付近まで誘導する誘導部材において、前記始動入賞口付近まで誘導される遊技球が通過する通路と、前記通路内に形成され、前記通路を通過する遊技球を減勢させる減勢部と、を備えることを特徴とする。
【０００７】
上記の構成によれば、通路を通過する遊技球（すなわち、誘導部材が始動入賞口付近まで誘導する遊技球）を減勢させることができる。
【０００８】
また、請求項２にかかる誘導部材は、上記の構成において、前記通路は、前記遊技球が滞りなく通過可能な開口径を有し、前記減勢部は、前記通路の終端付近に形成されることを特徴とする。
【０００９】
上記の構成によれば、通路の終端付近で遊技球を減勢させることができる。すなわち、誘導部材から排出される直前に遊技球を減勢させることができる。
【００１０】
また、請求項３にかかる誘導部材は、上記の構成において、前記減勢部は、前記遊技球を誘導する方向に沿って形成されることを特徴とする。
【００１１】
上記の構成によれば、遊技球の勢いを所定の方向（減勢部が形成された方向）へ向けることができる。
【００１２】
また、請求項４にかかる誘導部材は、上記の構成において、前記通路は、始端から終端まで前記遊技球を落下させて前記始動入賞口付近まで誘導することを特徴とする。
【００１３】
上記の構成によれば、重力を利用して、遊技球を始動入賞口付近まで誘導することができる。
【００１４】
また、請求項５にかかる誘導部材は、上記の構成において、前記所定位置は、前記遊技球の落下領域に含まれる位置であることを特徴とする。
【００１５】
上記の構成によれば、重力によって遊技領域を落下する遊技球をそのまま誘導部材内に進入させることができる。
【００１６】
また、請求項６にかかる遊技機は、遊技球が移動する遊技領域を有する遊技盤と、前記遊技領域内に設けられる始動入賞口と、進入した遊技球を前記始動入賞口付近まで誘導する誘導部材と、を備え、前記誘導部材は、前記遊技領域内の所定位置に設けられ、前記始動入賞口付近まで誘導される遊技球が通過する通路と、前記通路内に形成され、前記通路を通過する遊技球を減勢させる減勢部と、を備えることを特徴とする。
【００１７】
上記の構成によれば、通路を通過する遊技球（すなわち、誘導部材が始動入賞口付近まで誘導する遊技球）を減勢させることができる。
【００１８】
また、請求項７にかかる遊技機は、上記の構成において、前記通路は、始端から終端まで前記遊技球を落下させて前記始動入賞口付近まで誘導することを特徴とする。
【００１９】
上記の構成によれば、重力を利用して、遊技球を始動入賞口付近まで誘導することができる。
【００２０】
また、請求項８にかかる遊技機は、上記の構成において、前記誘導部材は、前記遊技球の落下領域に含まれる位置に設けられることを特徴とする。
【００２１】
上記の構成によれば、重力によって遊技領域を落下する遊技球をそのまま誘導部材内に進入させることができる。
【発明の効果】
【００２２】
本発明にかかる誘導部材、および遊技機によれば、遊技球を減勢しつつ始動入賞口付近まで誘導することによって、始動入賞口への入賞を安定させて遊技性の向上を図るだけでなく、遊技領域を覆うガラス板への衝突を防止して破損や騒音を抑制することができるという効果を奏する。
【発明を実施するための最良の形態】
【００２３】
以下に添付図面を参照して、本発明にかかる誘導部材、および遊技機の好適な実施の形態を詳細に説明する。なお、以下に示す実施の形態では、本発明にかかる誘導部材をパチンコ遊技機に設けられた誘導部材とし、本発明にかかる遊技機をパチンコ遊技機とした場合の例である。
【００２４】
（実施の形態１）
（パチンコ遊技機の概要）
まず、本発明の実施の形態１にかかる誘導部材を備えたパチンコ遊技機の概要について説明する。図１は、本発明の実施の形態１にかかる誘導部材を備えたパチンコ遊技機を示す正面図である。図１に示すパチンコ遊技機１００において、遊技盤１０１の下部位置に配置された発射部（図示を省略する）の駆動によって発射された遊技球は、レール１０２に沿って上昇して遊技盤１０１の上部位置に達した後、遊技領域１０３内を落下する。遊技領域１０３には、図示を省略するが、複数の釘が設けられ、遊技球を各種の方向に向けて落下させるとともに、落下途中の位置には遊技球の落下方向を変化させる風車や入賞口などが配設されている。また、図示は省略するが、遊技領域１０３の正面（すなわち、遊技者と対向する面）には、遊技球の飛び出しを防止するガラス板が設けられている。
【００２５】
また、遊技領域１０３の中央部分には、図柄表示部１０４が配置されている。図柄表示部１０４としては、たとえば液晶表示器（ＬＣＤ）が用いられる。なお、図柄表示部１０４としては、ＬＣＤに限らずＣＲＴなどを用いることもできる。図柄表示部１０４の下方には、始動入賞させるための始動入賞口１０５が配設されている。図柄表示部１０４の左側には、入賞ゲート１０６が配設されている。
【００２６】
入賞ゲート１０６は、遊技球の通過を検出し、始動入賞口１０５を一定時間だけ開放させる抽選をおこなうために設けられる。図柄表示部１０４の側部や下方などには普通入賞口１０７が配設されている。普通入賞口１０７に遊技球が入賞すると、普通入賞時の賞球数（たとえば１０個）の払い出しをおこなう。遊技領域１０３の最下部には、どの入賞口にも入賞しなかった遊技球を回収する回収口１０８が設けられている。
【００２７】
また、遊技領域１０３内には、始動入賞口１０５付近まで遊技球を誘導する誘導部材１０９が設けられる。具体的には、誘導部材１０９は、遊技球の落下領域に含まれる位置に設けられる。ここで、落下領域とは、遊技領域において、遊技球が落下する（通過する）可能性がある領域である。
【００２８】
誘導部材１０９には、遊技球が通過する通路（図４を参照）が形成されている。なお、通路は、始端が終端よりも高い位置となるように形成される。すなわち、誘導部材１０９は、始端から終端まで遊技球を落下させることによって（重力によって）、通路に進入した遊技球を当該通路に沿って、始動入賞口１０５付近まで誘導する。たとえば、遊技球は、図１中符号Ａで示す矢印に沿って誘導部材１０９（の通路）に進入し、図１中符号Ｂで示す矢印に沿って始動入賞口１０５に向かって排出される。
【００２９】
上記の図柄表示部１０４は、特定の入賞口に遊技球が入賞したとき（始動入賞時）に、複数の図柄の表示の変動を開始させ、所定時間後に図柄が停止する。この停止時に特定図柄（たとえば「７７７」）に揃ったとき、大当たり状態となる。大当たり状態のとき、下方に位置する大入賞口１１０が一定の期間開放を所定ラウンド（たとえば１５ラウンド）繰り返し、入賞した遊技球に対応した賞球数を払い出す。
【００３０】
なお、図１に示したパチンコ遊技機は、図示しない遊技媒体貸出装置と接続される。ここで、遊技媒体貸出装置は、遊技場（たとえば、パチンコ店）に設置されるパチンコ遊技機での遊技に使用する遊技球などの遊技媒体を貸し出すコンピュータ装置である。すなわち、遊技媒体貸出装置は、たとえば、遊技者から投入された金額を示す入金情報に応じて、遊技媒体の貸し出しに関する信号をパチンコ遊技機１００に送信する機能を有する。この遊技媒体貸出装置は、たとえば、隣接する遊技機と一対一で設置され、配線（不図示）によりパチンコ遊技機１００との間で信号を送受する。
【００３１】
（誘導部材の構成）
つぎに、本実施の形態１にかかる誘導部材１０９について説明する。図２は、本実施の形態１の誘導部材を示す正面図である。すなわち、図２に示す誘導部材１０９は、遊技者側から見た場合の誘導部材１０９である。図２に示すように、誘導部材１０９は、装飾部２０１を備え、装飾部材（いわゆる、役物）として遊技領域１０３内に設けられる。装飾部２０１は、その正面（図２に示す面）にパチンコ遊技機１００のゲーム性やストーリー性などに合致する装飾（形状、模様、色彩）が施され、板状に形成される。また、装飾部２０１には、ＬＥＤ（Ｌｉｇｈｔ  Ｅｍｉｔｔｉｎｇ  Ｄｉｏｄｅ）などの電飾が施されてもよい。
【００３２】
図３は、本実施の形態１の誘導部材を示す背面図である。すなわち、図３に示すのは、遊技盤１０１側から見た場合の誘導部材１０９である。また、図４は、本実施の形態１の誘導部材を示す斜視図である。なお、図４は、図３に示した状態の斜視図である。図３および図４に示すように、誘導部材１０９の装飾部２０１には、その背面（図３に示す面。すなわち、遊技盤１０１と対向する面）に、通路壁２０２，２０３，２０４が立設される。
【００３３】
図４に示すように、通路壁２０２〜２０４は、装飾部２０１に対して所定の高さｈ１を有する。ここで、高さｈ１は、遊技球の直径をＲとすると、当該Ｒに対して大きい（ｈ１＞Ｒ）。また、通路壁２０２〜２０４は、遊技球との衝突に対して、変形や破損が生じない程度の厚みを有する。なお、通路壁２０２〜２０４は、その長手方向（遊技球を誘導する方向）に対して、所定の傾斜を有して立設される。
【００３４】
通路壁２０２〜２０４には、それぞれビス孔が設けられる。具体的には、通路壁２０２にはビス孔２０２ａが設けられる。同様に、通路壁２０３にはビス孔２０３ａ，２０３ｂが設けられ、通路壁２０４にはビス孔２０４ａが設けられる。誘導部材１０９は、それぞれのビス孔に挿入されるビス（不図示）によって、遊技盤１０１上の図１に示す位置（所定位置）に固定される。
【００３５】
また、誘導部材１０９は、前述したように遊技球を誘導する通路を有する。この通路は、誘導部材１０９が遊技盤１０１に固定された際に、上記の遊技盤１０１と、装飾部２０１と、通路壁２０２〜２０４とによって囲まれる空間である。たとえば、図３および図４に示すように、通路２１０は、図示しない遊技盤１０１と、装飾部２０１と、通路壁２０２と、通路壁２０３とによって囲まれる空間である。
【００３６】
すなわち、通路２１０内に進入した遊技球は、前後方向に対する移動を遊技盤１０１および装飾部２０１によって規制され、上下方向に対する移動を通路壁２０２，２０３によって規制される。なお、通路２１０は、遊技球が滞りなく通過可能な程度の開口径を有する。
【００３７】
また、装飾部２０１の背面の通路２１０内となる箇所（通路壁２０２と通路壁２０３との間の箇所）には、減勢部２０５が設けられる。減勢部２０５は、装飾部２０１に対して所定の高さを有する複数の突起２０５ａ〜２０５ｄによって構成される。ここで、突起２０５ａ〜２０５ｄの高さは、通路２１０の始端Ｃから終端Ｄに近づくにつれ、少しずつ高くなる。また、突起２０５ａ〜２０５ｄのもっとも高い箇所（すなわち、終端Ｄ側の端部）の高さをｈ２とすると、ｈ２は、通路壁２０２〜２０４の高さｈ１に対して十分に小さく、ｈ２＋Ｒ≦ｈ１となる。なお、ここで、Ｒは前述したように、遊技球の直径である。すなわち、遊技球は、突起２０５ａ〜２０５ｄ上を通過して、通路２１０を始端Ｃから終端Ｄまで通過可能である。
【００３８】
また、突起２０５ａ〜２０５ｄは、遊技球を誘導する方向に沿って（すなわち、通路２１０の形状に沿って）形成される。なお、突起２０５ａ〜２０５ｄは、通路２１０内の終端Ｄ付近に形成されることが好ましい。また、上記の通路壁２０２〜２０４および減勢部２０５（突起２０５ａ〜２０５ｄ）は、装飾部２０１と一体成形されることが好ましい。
【００３９】
（誘導部材１０９による遊技球の誘導）
つぎに、誘導部材１０９による遊技球の誘導について説明する。前述したように、遊技盤１０１の下部位置に配置された発射部の駆動によって発射された遊技球は、レール１０２に沿って上昇して遊技盤１０１の上部位置に達した後、遊技領域１０３内を落下する。このとき、遊技球は、遊技領域１０３に配設された釘や風車などとの干渉によって軌道を変えつつ、始端Ｃから誘導部材１０９の通路２１０内へと進入する。
【００４０】
通路２１０内へと進入した遊技球は、通路壁２０２，２０３の傾斜に沿って、終端Ｄへと誘導される。この際に、遊技球は、減勢部２０５（の突起２０５ａ〜２０５ｄ）と接触して減勢される。さらに、遊技球は、減勢部２０５との接触によって、減勢部２０５の突起２０５ａ〜２０５ｄの形状に沿った軌道で、終端Ｄから通路２１０外（すなわち、誘導部材１０９外）へと排出される。通路２１０外へと排出された遊技球は、始動入賞口１０５付近へと向かう。
【００４１】
なお、本実施の形態１においては、減勢部２０５をｈ２の高さを有する突起２０５ａ〜２０５ｄによって構成することとしたがこれに限らない。減勢部２０５は、遊技球が通路２１０を通過可能で、通路２１０を通過する遊技球を減勢できればよく（すなわち、通路２１０内において、遊技球が自由に移動可能な空間を制限できればよい）、当該機能を果たすことが可能であれば、任意の形状、個数を有してよい。
【００４２】
たとえば、減勢部２０５は、４つの突起に限らず、任意の個数の突起によって構成されてもよい。また、減勢部２０５は、すべて同一の形状を有する突起によって構成される必要はなく、それぞれが異なる形状を有する突起によって構成されてもよい。
【００４３】
以上に説明したように、本実施の形態１の誘導部材１０９によれば、減勢部２０５によって通路２１０へ進入した遊技球を減勢させることができる。これによって、誘導部材１０９は、遊技球を減勢しつつ、始動入賞口１０５付近まで誘導することができ、遊技球の始動入賞口１０５への入賞を安定させて遊技性の向上を図ることができる。
【００４４】
また、本実施の形態１の誘導部材１０９によれば、通路２１０外（誘導部材１０９外）へ排出された遊技球は減勢されているため、遊技球と遊技領域１０３を覆うガラス板との衝突を防止することができ、衝突時に生じる騒音や破損を抑制することができる。
【００４５】
さらに、本実施の形態１の誘導部材１０９によれば、通路２１０は遊技球が滞りなく通過可能な開口径を有し、通路２１０終端Ｄ付近に減勢部２０５が設けられるため、遊技球を終端Ｄ付近となるまで通路２１０をスムーズに通過させ、通路２１０外へ排出する直前に減勢させることができる。これによって、通路２１０内での遊技球のひっかかり（詰まり）を防止しつつ、始動入賞口１０５への入賞を安定させることができる。
【００４６】
そして、本実施の形態１の誘導部材１０９によれば、減勢部２０５を構成する突起２０５ａ〜２０５ｄを、遊技球を誘導する方向（たとえば、始動入賞口１０５へ向かう方向）に沿って形成し、当該方向に沿って遊技球を誘導することができる。これによって、始動入賞口１０５への入賞を一層と安定させ、遊技性の向上を図ることができる。
【００４７】
（実施の形態２）
上記の実施の形態１では、減勢部２０５が装飾部２０１の背面（すなわち遊技盤１０１と対向する面）に設けられる例を示したが、減勢部は遊技盤１０１側に設けられてもよい。実施の形態２は、減勢部が遊技盤１０１側に設けられた場合の構成について説明する。なお、本実施の形態２では、上記の実施の形態１と同一の構成については同符号とし、その説明を省略する。
【００４８】
図５は、本実施の形態２の遊技盤および誘導部材を示す正面図である。すなわち、図５に示す図は、遊技者側から見た場合の遊技盤１０１および誘導部材５０１である。図５に示すように、誘導部材５０１は、装飾部２０１を備え、装飾部材として遊技領域１０３内に設けられる。誘導部材５０１は、不図示のビスなどによって、遊技盤１０１上の所定位置（図５中符号Ｅで示す位置）に固定される。
【００４９】
遊技盤１０１には、誘導部材５０１側に突出するように、上記の減勢部２０５と同様の形状を有する減勢部５０５が設けられている。減勢部５０５は、符号Ｅで示す位置に誘導部材５０１を固定したときに誘導部材５０１が有する通路５１０内となる箇所に設けられている。これによって、誘導部材５０１が有する通路５１０内を通過する遊技球は、減勢部５０５によって減勢されることとなる。
【００５０】
以上に説明したように、本実施の形態２においても実施の形態１と同様の効果を得ることができる。なお、減勢部５０５は、遊技盤１０１に（直接）設けることに限らず、誘導部材５０１の通路５１０に面して固定される任意の役物に設けてよい。たとえば、遊技盤１０１上に、まず、減勢部５０５を有する役物を設け、その役物と対向するよう（減勢部５０５が突出している側）に誘導部材５０１を配置すれば、実施の形態１と同様の効果を得ることができる。
【００５１】
以上に説明したように、本発明の誘導部材、および遊技機によれば、誘導する遊技球を減勢して始動入賞口への入賞を安定させるだけでなく、遊技球の遊技領域を覆うガラス板への衝突を防止して衝突時に生じる騒音や破損を抑制することができる。
【産業上の利用可能性】
【００５２】
以上に説明したように、本発明は、パチンコ遊技機の遊技に用いる遊技球を誘導する誘導部材および当該誘導部材を備えるパチンコ遊技機に関し、特に、遊技球を始動入賞口付近まで誘導する誘導部材および当該誘導部材を備えるパチンコ遊技機に適している。
【図面の簡単な説明】
【００５３】
【図１】本発明の実施の形態１にかかる誘導部材を備えたパチンコ遊技機を示す正面図である。
【図２】本実施の形態１の誘導部材を示す正面図である。
【図３】本実施の形態１の誘導部材を示す背面図である。
【図４】本実施の形態１の誘導部材を示す斜視図である。
【図５】本実施の形態２の誘導部材を示す正面図である。
【符号の説明】
【００５４】
１００  パチンコ遊技機
１０１  遊技盤
１０２  レール
１０３  遊技領域
１０４  図柄表示部
１０５  始動入賞口
１０６  入賞ゲート
１０７  普通入賞口
１０８  回収口
１０９  誘導部材
１１０  大入賞口
２０１  装飾部
２０２，２０３，２０４  通路壁
２０２ａ，２０３ａ，２０３ｂ，２０４ａ  ビス孔
２０５  減勢部
２０５ａ，２０５ｂ，２０５ｃ，２０５ｄ  突起
２１０  通路
【図１】
2010119526.tif 000003
【図２】
2010119526.tif 000004
【図３】
2010119526.tif 000005
【図４】
2010119526.tif 000006
【図５】
2010119526.tif 000007